(57)【特許請求の範囲】
【請求項１】
両端部が開口した筒状のケース体と、
このケース体の先端部寄りの内壁面に設けられ、かつ付勢スプリングの先端部を係止させることができる先端係止部と、
前記ケース体の両端開口部より交互に出没させることができると共に、該ケース体の後端開口部より外方へ突出する突出片、この突出片と一体形成された筒状の軸およびこの軸の先端部に取り付けられ、かつ該ケース体の先端部より突出させることができるブラシを有するブラシ体と、
このブラシ体の前記軸の後端部寄りの部位にコ字状の切欠部を形成して設けた舌片状の後端係止部であって、コ字状の切欠部を介して後部より付勢スプリングを挿入することができると共に、この付勢スプリングの後端部を係止させることができ、かつ先端部が外方へ突出する舌片状の後端係止部と、
前記突出片および前記後端係止部を通過して後端部が係止されるとともに、先端部が前記先端係止部に係止され、かつ常時前記ブラシ体の先端部を収納方向に付勢する付勢スプリングと、
前記ケース体の後端部内に固定され、かつ前記ブラシ体の突出片が所定量以上突出するのを阻止するストッパーと、
前記ケース体の先端部および後端部に着脱可能に嵌合され、後端部に嵌合された場合に前記ブラシ体のブラシを外方に突出させることができるキャップとからなることを特徴とするリップブラシ。
【請求項２】
両端部が開口した筒状のケース体と、
このケース体の先端部寄りの内壁面に設けられ、かつ付勢スプリングの先端部を係止させることができる先端係止部と、
前記ケース体の先端開口部より出没させることができる筒状の軸およびこの軸の先端部に取り付けられ、かつ該ケース体の先端部より突出させることができるブラシを有するブラシ体と、
このブラシ体の前記軸の後端部寄りの部位にコ字状の切欠部を形成して設けた舌片状の後端係止部であって、コ字状の切欠部を介して後部より付勢スプリングを挿入することができると共に、この付勢スプリングの後端部を係止させることができ、かつ先端部が外方へ突出する舌片状の後端係止部と、
この後端係止部を通過して後端部が係止されるとともに、先端部が前記先端係止部に係止され、かつ常時前記ブラシ体の先端部を収納方向に付勢する付勢スプリングと、
前記ケース体の後端部に形成された軸心方向の長孔と、前記ブラシ体の後部寄りの部位に固定された前記長孔をスライド可能に通過して上部が外方に突出する操作ピンと、
前記ケース体の先端部および後端部に着脱可能に嵌合され、後端部に嵌合された場合に前記ブラシ体のブラシが外方に突出するように前記操作ピンを移動させることができるキャップとからなることを特徴とするリップブラシ。
【発明の詳細な説明】
【０００１】
【発明の属する技術分野】
本発明は化粧時に使用するリップブラシに関する。
【０００２】
【従来の技術】
従来のリップブラシは両端部が開口した筒状のケース体と、このケース体内に摺動可能に取付けられた該ケース体の両端開口部より交互に出没する先端にブラシを有するブラシ体と、前記ケース体の先端部寄りの内壁面に固定された付勢スプリングの先端部係止部と、前記ブラシ体の後端部寄りの部位に形成された付勢スプリングの後端部係止部と、この後端部係止部と前記先端部係止部との間に介装された前記ブラシ体の先端ブラシを収納方向に付勢する付勢スプリングと、前記ケース体の後端部に嵌合され、前記ブラシ体の移動を停止させる尾栓とで構成されている。
【０００３】
【発明が解決しようとする課題】
従来のリップブラシはブラシ体の先端部を付勢スプリング内に挿入し、ケース体の後端部より挿入し、尾栓でブラシ体がケース体内にスライド移動可能に取付けているので、付勢スプリング内にブラシ体の先端部を挿入する時に糊をつけて毛先を整えたブラシが付勢スプリング内に入り込んでバラけてしまい、組付け完了後に毛先に糊をつけて毛先を整えなければならないという欠点があった。
【０００４】
本発明は以上のような従来の欠点に鑑み、付勢スプリングの組付け時にブラシに接触することなく付勢スプリングを組付けられるようにして、ブラシの毛先を整える作業を組付け後に行なわなくてもよくし、組付けコストの低減を図ることができるリップブラシを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は、両端部が開口した筒状のケース体と、
このケース体の先端部寄りの内壁面に設けられ、かつ付勢スプリングの先端部を係止させることができる先端係止部と、前記ケース体の両端開口部より交互に出没させることができると共に、該ケース体の後端開口部より外方へ突出する突出片、この突出片と一体形成された筒状の軸およびこの軸の先端部に取り付けられ、かつ該ケース体の先端部より突出させることができるブラシを有するブラシ体と、このブラシ体の前記軸の後端部寄りの部位にコ字状の切欠部を形成して設けた舌片状の後端係止部であって、コ字状の切欠部を介して後部より付勢スプリングを挿入することができると共に、この付勢スプリングの後端部を係止させることができ、かつ先端部が外方へ突出する舌片状の後端係止部と、前記突出片および前記後端係止部を通過して後端部が係止されるとともに、先端部が前記先端係止部に係止され、かつ常時前記ブラシ体の先端部を収納方向に付勢する付勢スプリングと、前記ケース体の後端部内に固定され、かつ前記ブラシ体の突出片が所定量以上突出するのを阻止するストッパーと、前記ケース体の先端部および後端部に着脱可能に嵌合され、後端部に嵌合された場合に前記ブラシ体のブラシを外方に突出させることができるキャップとでリップブラシを構成している。
【０００７】
【発明の実施の形態】
以下、図面に示す実施の形態により、本発明を詳細に説明する。
【０００８】
図１ないし図６に示す本発明の第１の実施の形態において、１は両端部が開口した筒状のケース体で、このケース体１の先端部は順次小径となるように形成され、外周部に後端部の後端キャップ嵌合部２と同径寸法の先端キャップ嵌合部３が形成されている。
【０００９】
４は前記ケース体１の先端部寄りの内壁面に嵌合固定されたリング状の先端係止部材で、この先端係止部材４の後端部は後述する付勢スプリングの先端部を係止する先端係止部５となるように形成されている。
【００１０】
６は前記ケース体１の両端開口部１ａ、１ｂより交互に出没させることができるブラシ体で、このブラシ体６は図３および図４に示すように、前記ケース体１の後端開口部１ｂより外方へ突出する突出片７と、この突出片７と一体成形された筒状の軸８と、この軸８の先端部の取付部９に嵌合固定されたブラシ１０を固定するブラシ固定金具１１と、前記軸８の後端部寄りの部位にコ字状の切欠部１２、１２を形成して形成した後部より後述する付勢スプリングを挿入することができ、かつ後端部を係止することができる先端部が外方へ突出する舌片状の後端係止部１３、１３と、この後端係止部１３、１３の後方部位の前記軸８部に上方に突出するように一体成形されたストッパー片１４とで構成されている。
【００１１】
１５は前記ブラシ体６の後端部より該ブラシ体６の軸８の外周部に位置し、後端部が後端係止部１３、１３に係止される付勢スプリングで、この付勢スプリング１５は取付け状態で先端部と後端部とが前記先端係止部５と後端係止部１３、１３とに係止され、前記ブラシ体６の先端部のブラシ１０を常時前記ケース体１内に位置するように付勢できるものが使用される。
【００１２】
１６は前記ケース体１の後端部に嵌合固定された前記ブラシ体６の突出片７が挿入される筒状のストッパーである。
【００１３】
１７は前記ケース体１の先端部や後端部に着脱可能に嵌合固定されるキャップで、このキャップ１７はケース体１の後端部に嵌合固定された場合に前記ブラシ体６の突出片７を付勢スプリング１５の付勢力に抗して押しつけ、ブラシ１０を外方へ突出できるように構成されている。
【００１４】
上記構成のリップブラシ１８は図５に示すように、ケース体１に先端係止部材４を後部より挿入して固定させるとともに、付勢スプリング１５内にブラシ体６の後端部を挿入し、該付勢スプリング１５の後端部を後端係止部１３、１３に係止できる状態に組立てる。
しかる後、図６に示すようにケース体１の後端部より付勢スプリング１５が取付けられたブラシ体６を内部に挿入し、ケース体１の後端部にストッパー１６を嵌合固定させることにより、組立てが完了する。
【００１５】
このようにして組立てられたリップブラシ１８は、不使用時には図１に示すようにケース体１の先端部にキャップ１７を嵌合固定する。この状態では付勢スプリング１５の付勢力によってブラシ体６のブラシ１０がケース体１内に収納されるとともに、突出片７がケース体１の後端部より外方に突出する状態となる。
【００１６】
使用する場合には、キャップ１７を外し、図２に示すようにケース体１の後端部に嵌合固定することにより、ブラシ体６の突出片７がケース体１内へ押し込まれ、ブラシ１０がケース体１の先端部より突出し、使用できる状態となる。
【００１７】
【発明の異なる実施の形態】
次に、図７ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図７ないし図９に示す本発明の第２の実施の形態において、前記本発明の第１の実施の形態と主に異なる点は、後部寄りの部位に軸心方向の長孔１９が形成されたケース体１Ａと、このケース体１Ａ内に収納時に全体が収納される寸法のブラシ体６Ａと、このブラシ体６Ａの後端部に固定された先端部が前記ケース体１Ａの長孔１９より外方に突出するスライド移動可能な操作ピン２０と、前記ケース体１Ａの後端部に嵌合固定された底蓋２１とを用いた点で、このようにキャップ１７で操作ピン２０を操作することができるように構成したリップブラシ１８Ａにしても、前記本発明の第１の実施の形態と同様な作用効果が得られる。
【００１９】
図１０および図１１に示す本発明の第３の実施の形態において、前記本発明の第１の実施の形態と主に異なる点は、軸８Ａの後端部寄りの部位に外方へ突出し、先端部が後端係止部１３、後端部がストッパー片１４となる弧状の係止片２２を一体成形したブラシ体６Ｂを用いた点で、このように形成されたブラシ体６Ｂを用いて構成したリップブラシ１８Ｂにしても、ブラシ体６Ｂの後部より付勢スプリング１５を取付けることができ、前記本発明の第１の実施の形態と同様な作用効果が得られる。
【００２０】
図１２および図１３に示す本発明の第４の実施の形態において、前記本発明の第１の実施の形態と主に異なる点は、軸８Ａの後端部寄りの部位に先端部が後端係止部１３Ａとなるカギ状の係止片２２Ａと、この係止片２２Ａ部位よりも後部で、かつ異なる部位にカギ状に形成されたストッパー片１４Ａを形成したブラシ体６Ｃを用いた点で、このように構成したブラシ体６Ｃを用いても、付勢スプリング１５を後部より挿入することができるリップブラシ１８Ｃにすることができる。
【００２１】
図１４および図１５に示す本発明の第５の実施の形態において、前記本発明の第１の実施の形態と主に異なる点は、軸８の後部寄りの部位に後端係止部１３、１３Ａと、ストッパー片１４Ａを形成したブラシ体６Ｄを用いた点で、このように構成したブラシ体６Ｄを用いても、付勢スプリング１５をブラシ体６Ｄの後部より挿入することができるリップブラシ１８Ｄにすることができる。
【００２２】
図１６および図１７に示す本発明の第６の実施の形態において、前記本発明の第１の実施の形態と主に異なる点は、軸８Ａの後端部寄りの部位にカギ状の係止片２２、２２を形成し、該係止片２２、２２の下部に切欠部２３、２３を形成して付勢スプリング１５の挿入時に小さくなるように撓むように形成したブラシ体６Ｅを用いた点で、このように形成されたブラシ体６Ｅを用いて構成したリップブラシ１８Ｅにしても、前記本発明の第１の実施の形態と同様な作用効果が得られる。
【００２３】
図１８および図１９に示す本発明の第７の実施の形態において、前記本発明の第１の実施の形態と主に異なる点は、先端寄りの内壁面に先端係止部５を形成したケース体１Ｂを用いた点で、このように形成されたケース体１Ｂを用いて構成したリップブラシ１８Ｆにしても、前記本発明の第１の実施の形態と同様な作用効果が得られる。
【００２４】
図２０および図２１に示す本発明の第８の実施の形態において、前記本発明の第１の実施の形態と主に異なる点は、軸８Ａの後端部寄りの部位に係止片２２、２２とストッパー片１４Ａを形成したブラシ体６Ｆを用いた点で、このように構成したブラシ体６Ｆを用いても、付勢スプリング１５をブラシ体６Ｆの後部より無理に押し込むことができるリップブラシ１８Ｇにすることができる。
【００２５】
なお、前記本発明の第１、第３〜第８の実施の形態においてはケース体の後端部よりブラシ体の後端部を常時突出させるものに付いて説明したが、本発明はこれに限らず、ブラシ体の後端部を常時ケース体の後端部内に位置させ、キャップ内に設けたケース体内に挿入される突出片によって、使用時にブラシ体の先端部のブラシを外方に突出させるようにしたものであってもよい。
【００２６】
【発明の効果】
以上の説明から明らかなように、本発明にあっては次に列挙する効果が得られる。
【００２７】
（１）両端部が開口した筒状のケース体と、このケース体の先端部寄りの内壁面に設けられ、かつ付勢スプリングの先端部を係止させることができる先端係止部と、前記ケース体の両端開口部より交互に出没させることができると共に、該ケース体の後端開口部より外方へ突出する突出片、この突出片と一体形成された筒状の軸およびこの軸の先端部に取り付けられ、かつ該ケース体の先端部より突出させることができるブラシを有するブラシ体と、このブラシ体の前記軸の後端部寄りの部位にコ字状の切欠部を形成して設けた舌片状の後端係止部であって、コ字状の切欠部を介して後部より付勢スプリングを挿入することができると共に、この付勢スプリングの後端部を係止させることができ、かつ先端部が外方へ突出する舌片状の後端係止部と、前記突出片および前記後端係止部を通過して後端部が係止されるとともに、先端部が前記先端係止部に係止され、かつ常時前記ブラシ体の先端部を収納方向に付勢する付勢スプリングと、前記ケース体の後端部内に固定され、かつ前記ブラシ体の突出片が所定量以上突出するのを阻止するストッパーと、前記ケース体の先端部および後端部に着脱可能に嵌合され、後端部に嵌合された場合に前記ブラシ体のブラシを外方に突出させることができるキャップとで構成されているので、ブラシ体の後部より付勢スプリングを取付けることができる。
したがって、従来のように付勢スプリングをブラシ体の先端部より取付けるものに比べ、毛先を整えたブラシをバラけさせてしまう不具合を効率よく防止でき組立てを効率よく、楽に行なうことができる。
【００２８】
（２）前記（１）によって、ブラシ体に付勢スプリングが通過し、後端部を係止できる後端係止部を形成するだけでよいので、容易に製造することができる。
【００２９】
（３）前記（１）によって、部品点数を増加させなくてもよいので、従来とほぼ同様なコストで各部品を製造することができる。
【００３０】
（４）請求項２も前記（１）〜（３）と同様な効果が得られる。
【図面の簡単な説明】
【図１】本発明の第１の実施の形態の不使用状態の断面図。
【図２】本発明の第１の実施の形態の使用状態の断面図。
【図３】本発明の第１の実施の形態のブラシ体の平面図。
【図４】図３の４−４線に沿う断面図。
【図５】本発明の第１の実施の形態の部分組立ての説明図。
【図６】ブラシ体をケース体に組付ける説明図。
【図７】本発明の第２の実施の形態の不使用状態の断面図。
【図８】本発明の第２の実施の形態の使用状態の断面図。
【図９】本発明の第２の実施の形態の分解斜視図。
【図１０】本発明の第３の実施の形態の断面図。
【図１１】本発明の第３の実施の形態のブラシ体の説明図。
【図１２】本発明の第４の実施の形態の断面図。
【図１３】本発明の第４の実施の形態のブラシ体の説明図。
【図１４】本発明の第５の実施の形態の断面図。
【図１５】本発明の第５の実施の形態のブラシ体の説明図。
【図１６】本発明の第６の実施の形態の断面図。
【図１７】本発明の第６の実施の形態のブラシ体の説明図。
【図１８】本発明の第７の実施の形態の断面図。
【図１９】本発明の第７の実施の形態のブラシ体の説明図。
【図２０】本発明の第８の実施の形態の断面図。
【図２１】本発明の第８の実施の形態のブラシ体の説明図。
【符号の説明】
１、１Ａ、１Ｂ：ケース体、
２：後端キャップ嵌合部、
３：先端キャップ嵌合部、
４：先端係止部材、
５：先端係止部、
６、６Ａ〜６Ｆ：ブラシ体、
７：突出片、
８、８Ａ：軸、
９：取付部、
１０：ブラシ、
１１：ブラシ固定金具、
１２：切欠部、
１３、１３Ａ：後端係止部、
１４、１４Ａ：ストッパー片、
１５：付勢スプリング、
１６：ストッパー、
１７：キャップ、
１８、１８Ａ〜１８Ｇ：リップブラシ、
１９：長孔、
２０：操作ピン、
２１：底蓋、
２２、２２Ａ：係止片、
２３：切欠部。
【図１】
0004386301.tif 000002
【図２】
0004386301.tif 000003
【図３】
0004386301.tif 000004
【図４】
0004386301.tif 000005
【図５】
0004386301.tif 000006
【図６】
0004386301.tif 000007
【図７】
0004386301.tif 000008
【図８】
0004386301.tif 000009
【図９】
0004386301.tif 000010
【図１０】
0004386301.tif 000011
【図１１】
0004386301.tif 000012
【図１２】
0004386301.tif 000013
【図１３】
0004386301.tif 000014
【図１４】
0004386301.tif 000015
【図１５】
0004386301.tif 000016
【図１６】
0004386301.tif 000017
【図１７】
0004386301.tif 000018
【図１８】
0004386301.tif 000019
【図１９】
0004386301.tif 000020
【図２０】
0004386301.tif 000021
【図２１】
0004386301.tif 000022